(57)【特許請求の範囲】
【請求項１】
縦割りに切断されたひれ付き管本体の外径より大きく、ひれ外径より小さな離隔で側面が相対して並列する歯車形の回転体、及び前記縦割り切断ひれ付き管を支持して、前記回転体の箇所へ進むよう案内するガイドを具有し、該ガイドに案内されて前記縦割り切断ひれ付き管のひれの切断面側が進行する空間中に周縁一部が入り込み、且つ回転軸が該縦割り切断ひれ付き管の軸線を横断する方向となるよう前記回転体が配置されていることを特徴とするひれ付き管のひれ剥し装置。
【請求項２】
側面が相対して並列する歯車形の回転体の箇所を通過した縦割り切断管本体の外周面中央部に周縁一部が近接し、回転軸が前記回転体の回転軸と並行する歯車形の回転体を更に具有する請求項１記載のひれ付き管のひれ剥し装置。
【請求項３】
管本体の外側にスリーブの介在下にひれ付きとされたひれ付き管を縦割りに切断したものを被処理物とする請求項１記載のひれ付き管のひれ剥がし装置であって、ガイド上の縦割り切断ひれ付き管本体から剥がれて行く縦割り切断ひれ付きスリーブを、該スリーブを剥がれた縦割り切断管本体の進行領域外に逸らせる逸らせ部材、及び縦割り切断ひれ付きスリーブを剥がれた縦割り切断管本体を、該スリーブの進行領域外に逸らせる逸らせ部材の双方、又は何れかを更に具有するひれ付き管のひれ剥し装置。
【発明の詳細な説明】
【０００１】
【発明の属する技術分野】
本発明は、縦割り切断ひれ付き管（縦割りに切断されたひれ付き管の略記）からひれを剥すための装置に関する。
【０００２】
本明細書において、「ひれ付き管」とは、横ひれを然るべき仕様で外周面に接合乃至は形成された金属管のことである。
【０００３】
ひれ付き管の縦割り切断は、例えば、熱交換パイプにおいて、内面の腐食検査等のために必要とされる。
【０００４】
内面腐食検査等を終えた縦割り切断ひれ付き管は、廃棄又は回収される。この場合、ひれが剥がれていることが望まれる。ひれが剥がれていると、縦割り切断された管は、ひれ付きのものより小さな嵩に纏めることができ、廃棄又は回収に便利である。
【０００５】
【従来の技術】
従来、縦割り切断ひれ付き管からひれを剥す装置は、開発されていない。このため従来では、内面腐食検査等を終えた縦割り切断ひれ付き管は、ひれ付きのまま廃棄または回収され、嵩張ることを余儀なくされる。
【０００６】
【発明が解決しようとする課題】
本発明の課題は、縦割り切断ひれ付き管からひれを能率良く剥すことができる装置を開発するにある。
【０００７】
【課題を解決するための手段】
上記課題解決のため本発明では、縦割りに切断されたひれ付き管本体の外径より大きく、ひれ外径より小さな離隔で側面が相対して並列する歯車形の回転体、及び前記縦割り切断ひれ付き管を支持して、前記回転体の箇所へ進むよう案内するガイドを設置している。前記回転体は、前記ガイドに案内されて縦割り切断ひれ付き管のひれの切断面側が進行する空間中に周縁一部が入り込み、且つ回転軸が該縦割り切断ひれ付き管の軸線を横断する方向となるよう配置する。
【０００８】
本発明において、並列する歯車形の回転体側面の離隔を、縦割り切断ひれ付き管本体の外径より大きく、ひれ外径より小さくするのは、該回転体により縦割り切断ひれ付き管のひれを剥がすことを、実効あるものにするためである。即ち、並列する回転体側面の離隔が、縦割り切断ひれ付き管本体の外径より小さいと、回転体の歯が該管本体に接触し、ひれ外径より大きいと回転体の歯がひれに接触せず、何れの場合も、ひれ剥しができない。
【０００９】
本発明では、上記ガイドに被処理物である縦割り切断ひれ付き管を支持させて、上記回転体の箇所を進行させる。この回転体は、縦割り切断ひれ付き管本体の外径より大きく、ひれ外径より小さな離隔で側面が相対して並列し、ガイドに案内されて被処理物のひれの切断面側が進行する空間中に回転体周縁一部が入り込み、且つ回転軸が該縦割り切断ひれ付き管の軸線を横断する方向となる配置になっている。従って、回転体を被処理物の進行に対し順転方向に回転させておけば、ガイド上を進行される被処理物からひれが該回転体により剥がされる。
【００１０】
因みに、外径６０ｍｍ、厚み０．２ｍｍのアルミニュームひれを持つ管（鋼管）本体外径２５ｍｍの縦二つ割りのひれ付き鋼管を１ｍ／約１０秒の速度で、歯車形の回転体（焼き入れされた鋼によるもので、外径８０ｍｍ、回転数６５０ｒ．ｐ．ｍ）の箇所を進行させたところ、ひれが該回転体の働きで剥がれることが認められた。また歯車形の回転体が外径１２０ｍｍである点を除き上記と同じ条件で、縦二つ割りのひれ付き鋼管を処理した場合も、同様な結果が得られた。
【００１１】
被処理物である縦割り切断ひれ付き管が比較的大径の場合（通常、管本体超２５ｍｍφ程度）、歯車形の回転体を通過した縦割り切断管本体には、ときとして、剥離抵抗でひれが部分的に管本体の外周面中央部に残ることがある。（図７参照。なお図７で参照符号Ｆ’’を付したのが部分的残存ひれである。）
これに対処するには、回転体の箇所を通過した縦割り切断管本体の外周面中央部に周縁一部が近接し、回転軸が該回転体の回転軸と並行する歯車形の回転体を更に設置するのが有効である。
【００１２】
この構成によると、上記前者回転体の箇所を通過した縦割り切断管本体の外周面中央部にひれが部分的に残っている場合、上記後者回転体が該部分的残存ひれを剥ぎ取る。この後者回転体は、被処理物の進行に対し逆方向に回転させる。
【００１３】
ひれ付き管には、管本体外周面にスリーブが介在する態様下にひれ付きとされ、そのスリーブ及びひれが一体となったものがある。このタイプのひれ付き管から得られた被処理物では、ひれが縦割り切断スリーブ付きの形で剥がれる。このため、剥がれた縦割り切断ひれ付きスリーブを放置すると、その剥がれた縦割り切断ひれ付きスリーブが、歯車形の回転体又は縦割り切断管本体に絡むことがある。絡むと、ひれ剥しに支障を来す。
【００１４】
これに対処するには、被処理物から剥がれて行く縦割り切断ひれ付きスリーブを、該スリーブを剥がれた縦割り切断管本体の進行領域外に逸らせる逸らせ部材、及縦割り切断ひれ付きスリーブを剥がれた縦割り切断管本体を、該スリーブの進行領域外に逸らせる逸らせ部材の双方、又はいずれかを更に設けるのが有効である。
【００１５】
この構成によれば、被処理物から剥がれて行く縦割り切断ひれ付きスリーブ、及び該スリーブを剥がれた縦割り切断管本体の双方が相互に、又は一方が他方に対し、上記逸らせ部材で進行領域外に逸らされ、歯車形の回転体に絡む或いは相互に絡むことを回避され、ひれ剥しが的確に行われる。
【００１６】
ひれ付き管におけるひれ付きスリーブは、一般に厚みが０．７ｍｍ程度と薄く、被処理物から剥がれた縦割り切断ひれ付きスリーブは、容易に嵩低く纏めることができる。
【００１７】
【発明の実施の形態】
本発明の実施形態につき、図面を参照して、説明する。ひれ付き管のひれ剥し装置には、総括的に参照符号Ｉを付した。該装置Ｉは、側面が離隔して相対する態様に並列する歯車形の回転体１，１、及び被処理物である縦割り切断ひれ付き管（厳密には縦割りに切断されたひれ付き管）Ｔのためのガイド２を構成要素として具有する。回転体１，１側面の離隔は、被処理物の管本体Ｔ’の外径より大きく、ひれＦ外径より小さい度合とする。回転体１，１及びガイド２は、前後（図１の上下）に併設される。回転体１，１は、ガイド２に案内されて縦割り切断ひれ付き管ＴのひれＦの切断面側が進行する空間中に周縁一部が入り込み、且つ回転軸が縦割り切断ひれ付き管Ｔの軸線を横断する方向となるよう配置される。回転体１，１はモータＭにより伝動機構ｍを通じ駆動される。ガイド２は被処理物を支持して、回転体１，１の箇所に進行するよう案内する。被処理物の当該支持は、ガイド２を水平配置とし、該ガイド２に被処理物を載せる仕様で十分である。図には、この仕様の支持形式が示されている。
【００１８】
回転体１，１は、焼き入れされた鋼によるものがよい。回転体１，１は、平歯車を好ましい例として挙げることができる。回転体１，１には、被処理物におけるひれＦが管本体Ｔ’から張り出している幅Ｈに対応する歯幅のものを充てる。ガイド２は、縦割り切断ひれ付き管Ｔが嵌まる大きさの横断面円弧形のものを好ましい例として挙げることができる。
【００１９】
縦割り切断ひれ付き管Ｔは、切断面を上側にしてガイド２に載せられ、該ガイド２上を回転体１，１の箇所へ前進される。その前進は、手押しで十分である。
【００２０】
これに先立ち、歯車形の回転体１，１は、管Ｔの進行に対し順転方向、即ち管Ｔが図４（Ｂ）の矢符方向へ前進するとすれば、時計回り方向に回転させる。
【００２１】
縦割り切断ひれ付き管ＴのひれＦが、回転している回転体１，１の箇所に来ると、該回転体１、１の歯で引っ掻かれて、管本体Ｔ’から剥がれる。
【００２２】
被処理物がスリーブ無しの縦割り切断ひれ付き管の場合、ひれＦは、ばらばらに剥がれて落下する。回転体１、１のある箇所の装置Ｉの天板ｆには、被処理物からの剥がし物のための落下口Ｏが設けられている。ひれＦを剥がれた縦割り切断管本体Ｔ’は、所要位置の所要高さに配置されたガイド２０上面を滑って、該ガイド２０前方（図４（Ａ）の矢符方向）へ進行する。
【００２３】
既述した理由により、回転体１，１の箇所を通過した縦割り切断管本体Ｔ’の外周面中央部に周縁一部が近接し、回転軸が回転体１，１の回転軸と並行する歯車形の回転体１０を更に設置することが好ましい。この改変の例は、図１の右半側、図５及び図６に示した。回転体１０は、モータＭにより伝動機構（図示せず）を介し駆動される。回転体１０のある箇所の装置Ｔの天板ｆには、被処理物からの剥がし物を落下させるための開口Ｏ’が設けられている。
【００２４】
回転体１０を更に設置したものの場合、回転体１，１と回転体１０との間に、回転体１，１の箇所を通過した縦割り切断管本体Ｔ’を持ち上げるための部材６を設置するとよい。この部材６は、前記縦割り切断管本体Ｔ’の先端が、回転体１０の周縁に対し所要高さで進入することを可能にする。部材６は、手動で所要高さに位置させる形式のもので十分であり、例えば手動の揺れ腕７先端に取り付けられたものを充当できる。部材６は図１及び図３に示した。
【００２５】
被処理物が管本体外周面にスリーブの介在下にひれ付きとされた管から得られたものの場合、前述した理由により、被処理物から剥がれて行く縦割り切断ひれ付きスリーブＳを、該スリーブＳを剥がれた縦割り切断管本体Ｔ’の進行領域外に逸らせる逸らせ部材４、及び縦割り切断ひれ付きスリーブＳを剥がれた縦割り切断管本体Ｔ’を、該スリーブＳの進行領域外に逸らせる逸らせ部材５の双方、又は何れかを更に備えることが好ましい。この改変の例は、図８、図９及び図１０に示した。図８，９及び１０の例示は、逸らせ部材４及び５を備えた場合のものである。逸らせ部材５は、ガイド２０を兼用してもよい。逸らせ部材４，５は、好ましくは、歯車形の回転体１，１の歯先と、管本体Ｔ’から剥がれた縦割り切断ひれ付きスリーブＳとの間に入り込む楔形の先端部４ａ，５ａを持つものである。当該逸らせ部材は、縦割り切断ひれ付きスリーブＳ及び管本体Ｔ’を逸らせる効果が、楔形の先端部４ａ，５ａで良化される。
【００２６】
ひれＦまたは縦割り切断ひれ付きスリーブＳを剥がれた縦割り切断管本体Ｔ’は、回転体１，１または１０の前方（図１上方）の仕切り８，８で囲まれた箇所８０に収まる。
【００２７】
【発明の効果】
上述したところから明らかなように、本発明によると次の効果が得られる。
【００２８】
１．縦割り切断ひれ付き管をガイドに支持させて所要方向へ前進させ、該管からひれを歯車形の回転体により能率よく剥がすことができる。
【００２９】
２．回転体の箇所を通過した縦割り切断管本体の外周面中央部に周縁一部が近接し、回転軸が該回転体の回転軸と並行する歯車形の回転体を更に設置するときは、上記前者回転体の箇所を通過した縦割り切断管本体の外周面中央部にひれが部分的に残っている場合、上記後者回転体により該部分的残存ひれを剥ぎ取ることができる。
【００３０】
３．被処理物が管本体の外周面にスリーブの介在下にひれ付きとされた管から得られたものの場合、被処理物から剥がれて行く縦割り切断ひれ付きスリーブを、該スリーブを剥がれた縦割り切断管本体の進行領域外に逸らせる逸らせ部材、及び縦割り切断ひれ付きスリーブを剥がれた縦割り切断管本体を、該スリーブの進行領域外に逸らせる逸らせ部材の双方、又はいずれかを更に設けるときは、縦割り切断ひれ付き管から剥がれて行く縦割り切断ひれ付きスリーブ、及び該スリーブを剥がれた縦割り切断管本体の双方が相互に、又は一方が他方に対し、進行領域外に逸れて、歯車形の回転体に絡む或いは相互に絡むのを回避でき、的確なひれ剥しを達成できる。
【図面の簡単な説明】
【図１】本発明に係る装置の一例の概要を示す平面図である。
【図２】図１の正面図を示す。
【図３】図２の側面図である。
【図４】図１に示した装置における左半側の歯車形の回転体及び逸らせ部材の拡大詳細図で、図４（Ａ）は縦断面図、図４（Ｂ）は図４（Ａ）の側面図である。
【図５】図１の右半側の歯車形の回転体の拡大詳細図を示す。
【図６】図５の回転体の縦断面図である。
【図７】図５のＶＩＩーＶＩＩ線断面図を示す。
【図８】逸らせ部材の一例を、並列する歯車形の回転体と共に示す縦断面図である。
【図９】図８の側面図を示す。
【図１０】並列する回転体及び逸らせ部材の斜視図を示す。
【符号の説明】
１      回転体
２      ガイド
１０    回転体
４，５  逸らせ部材
Ｆ      ひれ
Ｔ      縦割り切断ひれ付き管
Ｔ’    縦割り切断管本体
Ｓ      縦割り切断ひれ付きスリーブ
【図１】
0004015742.tif 000002
【図２】
0004015742.tif 000003
【図３】
0004015742.tif 000004
【図４】
0004015742.tif 000005
【図５】
0004015742.tif 000006
【図６】
0004015742.tif 000007
【図７】
0004015742.tif 000008
【図８】
0004015742.tif 000009
【図９】
0004015742.tif 000010
【図１０】
0004015742.tif 000011